(57)【要約】【課題】乱反射させた光を吸収して、目に映る光の反射率を減少させると共に、下側にある液晶表示装置からの光の透過率を向上させ、画面の鮮明度を向上させるようにするタッチスクリーンを提供する。【解決手段】ポラライジングフィルムとリタデーションフィルム及び第１ガラス板が順に積層された上部構造物と、第２ガラス板とリタデーションフィルムとが順に積層された下部構造物と、上部構造物と下部構造物との対向部位にそれぞれ備えられた伝導体コーティング層と、このコーティング層の間の空間に封入された透明インクとを含むタッチパネル部と；タッチパネル部の下側の液晶表示装置と；からなるタッチスクリーンであって、タッチパネル部のリタデーションフィルムに特殊塗料を多層に蒸着させてＡＲフィルムを形成し、乱反射した光を吸収した。【選択図】図１
2005038378.tif 000002
【特許請求の範囲】
【請求項１】
ポラライジングフィルムとリタデーションフィルム及び第１ガラス板が順に積層されて形成された上部構造物と、第２ガラス板とリタデーションフィルムとが順に積層されて形成された下部構造物と、前記上部構造物と下部構造物との対向部位にそれぞれ備えられた伝導体コーティング層と、このコーティング層の間の空間に封入された透明インクとを含むタッチパネル部と；
前記タッチパネル部の下に位置した液晶表示装置と；
からなるタッチスクリーンであって、前記タッチパネル部にはアンチリフレクション処理をしたＡＲフィルムが蒸着されていることを特徴とするタッチスクリーン。
【請求項２】
前記ＡＲフィルムは前記下部構造物のリタデーションフィルムの下側の表面に蒸着されていることを特徴とする請求項１に記載のタッチスクリーン。
【発明の詳細な説明】
【技術分野】
【０００１】
本発明はタッチスクリーンに係り、より詳しくは、タッチパネル部の下端面にアンチリフレクション処理をして、外部から入射される光に対する反射率を低減すると共に、液晶表示装置から出る光の透過率を増大させることによって、光反射率が改善された画面の鮮明度を向上できるタッチスクリーンに関する。
【背景技術】
【０００２】
一般にタッチスクリーン（ｔｏｕｃｈ  ｓｃｒｅｅｎ）は、キーボードやマウスのような特定の入力装置を利用せずにスクリーンに現われた文字や特定位置に人の手やその他の物体を接触させてコンピューターに資料を入力できるようにする装置である。
即ち、タッチスクリーンは接触される位置が入力される特殊な入力装置を付着した画面であって、一般モニターの画面にタッチパネル（ｔｏｕｃｈ  ｐａｎｅｌ）という装置を付け加えて機能を発揮するように構成されたものである。
このようなタッチスクリーンには多様な方式があるが、その中で、自動車に広く使用されている抵抗膜方式のタッチスクリーンは、外部から加えられる圧力の変化を抵抗値に変換して回路基板に入力する方式である。
【０００３】
しかし、上記のような抵抗膜方式のタッチスクリーンは視認性がやや落ちる。そのため、画面がよく見えず不鮮明である。車両に適用する場合には、計器盤のセッティング角度と違う角度に設置する必要があり、外観美が低下する。また、外部から入って来る光の遮断のために、タッチスクリーンの周囲にひさしのような部材を形成しなければならないなどの短所があった。
【特許文献１】特開平１０−３３７５０４号公報
【発明の開示】
【発明が解決しようとする課題】
【０００４】
本発明の目的は、タッチパネル部のリタデーションフィルムに特殊塗料を多層に蒸着させて、乱反射した光を吸収するアンチリフレクション処理をすることによって、目に映る光の乱反射による光の反射率を減少させると共に、タッチパネルの下部にある液晶表示装置から出る光の透過率を向上させ、画面の鮮明度を向上させたタッチスクリーンを提供することにある。
【課題を解決するための手段】
【０００５】
上記のような目的を達するため、本発明によるタッチスクリーンは、
ポラライジングフィルムとリタデーションフィルム及び第１ガラス板が順に積層されて形成された上部構造物と、第２ガラス板とリタデーションフィルムとが順に積層されて形成された下部構造物と、前記上部構造物と下部構造物との対向部位にそれぞれ備えられた伝導体コーティング層と、このコーティング層の間の空間に封入された透明インクとを含むタッチパネル部と；
前記タッチパネル部の下に位置した液晶表示装置と；からなり、前記タッチパネル部にはアンチリフレクション処理をしたＡＲフィルムが蒸着されていることを特徴とする。
【０００６】
さらに、前記ＡＲフィルムは、前記下部構造物において、リタデーションフィルムの下側の表面に蒸着されていることが好ましい。
【発明の効果】
【０００７】
本発明によるタッチスクリーンを備えたモニター装置によれば、タッチパネル部のリタデーションフィルムにＡＲフィルムを多層に蒸着させて、乱反射した光を吸収するアンチリフレクション処理をしたので、目に映る光の乱反射による光の反射率を減少させ、また、タッチスクリーンの下部にある液晶表示装置から出る光の透過率を増大させ、画面の鮮明度を向上させることができる。
【発明を実施するための最良の形態】
【０００８】
以下、本発明の実施例を添付した図面によって詳述する。
【実施例１】
【０００９】
図１は、本発明によるタッチスクリーン方式のモニターであって、タッチスクリーンパネル部を示した断面図である。
【００１０】
本発明によるタッチスクリーン方式のモニターにおいて断面構造は、図１に示されたように、液晶表示装置（１０；ＬＣＤ、ｌｉｑｕｉｄ  ｃｒｙｓｔａｌ  ｄｉｓｐｌａｙ）の上部にタッチパネル部１２が位置する。
このタッチパネル部１２はポラライジングフィルム１４（ｐｏｌａｒｉｚｉｎｇ  ｆｉｌｍ）とリタデーションフィルム１６（ｒｅｔａｒｄａｔｉｏｎ  ｆｉｌｍ）とがそれぞれ約０．２ｍｍ程度の厚さを有する第１ガラス板１８の上部にそれぞれ層状に積層して構成する上部構造物と、この上部構造物の下部で約１．１ｍｍ程度の厚さを有する第２ガラス板２０とこの第２ガラス板２０の下部にリタデーションフィルム２２を同様に層状に積層して構成する下部構造物とからなる。
【００１１】
そして、上部構造物の０．２ｍｍ程度の厚さを有する第１ガラス板１８と下部構造物の１．１ｍｍ程度の厚さを有する第２ガラス板２０との間には、中間に微細な離隔距離を置いてＩＴＯ（ｉｎｄｉｕｍ  ｔｉｎ  ｏｘｉｄｅ）という透明な導電性物質の伝導体コーティング層２４がそれぞれ上下に位置されている。
【００１２】
さらに、伝導体コーティング層２４の間の空間には外部から加えられる圧力の変化を抵抗値に変換して回路基板に入力する特殊な透明インク（図示なし）が封入されている。
【００１３】
一方、ポラライジングフィルム１４の表面には、外部から流入する光を乱反射させて拡散させることにより、目に映る光の反射率を減少させるためのアンチグレア（ａｎｔｉ−ｇｌａｒｅ）処理がされている。
そして、下部構造物のリタデーションフィルム２２の下部にはアンチリフレクション（ａｎｔｉ−ｒｅｆｌｅｃｔｉｏｎ：ＡＲと称す）処理をしたＡＲフィルム２６が蒸着されているが、このＡＲフィルム２６は、特殊な塗料をリタデーションフィルム２２の表面に約５層の積層構造として蒸着させて、乱反射させた光を吸収する役割をするようにしたものである。
【００１４】
従って、リタデーションフィルム２２の下側に積層されたＡＲフィルム２６は、ポラライジングフィルム１４の表面に外部から入って来る光を乱反射させて、目に映る光の反射率を低めるようにするアンチグレア処理によって、液晶表示装置１０から出る光が、乱反射するのを吸収できる。
【００１５】
即ち、リタデーションフィルム２２に積層されたＡＲフィルム２６は、液晶表示装置１０から出力された光の透過率を向上させながら、外部から入ってタッチパネル部１２によって乱反射される光の反射率を低下させる。
【００１６】
この結果、液晶表示装置１０から出力されてタッチパネル部１２を通じて認識される画面の鮮明度は、透過率の増大によって、向上（従来対比１．４３％程度改善される）する。また、前記タッチパネル部（１２）を通して外部の光の反射率が減少し、画面の視認性が向上（従来対比１．２８％程度改善される）する。
【００１７】
さらに、上記のような構造のタッチスクリーン方式のモニターを採択すると、画面の視認性が向上するので、車両の場合において、モニターの設置方向を計器盤の設定角度に合わせてセッティングすることが可能になり、車室内の外観美を美麗にできる。
そして、リタデーションフィルム２２に積層されるＡＲフィルム２６はタッチパネル部１２の下部構造物の底面に位置するようになるため、タッチパネル部１２の特性の上、使用者の身体部位ないし特定の道具と接触して発生する汚染や毀損から解放されるという利点がある。
【産業上の利用可能性】
【００１８】
本発明は、車両のタッチスクリーンに適用することができる。
【図面の簡単な説明】
【００１９】
【図１】本発明によるタッチスクリーンの概略的な断面図である。（実施例１）
【符号の説明】
【００２０】
１０    液晶表示装置
１２    タッチパネル部
１４    ポラライジングフィルム
１６    リタデーションフィルム
１８    第１ガラス板
２０    第２ガラス板
２２    リタデーションフィルム
２４    伝導体コーティング層
２６    ＡＲフィルム
【図１】
2005038378.tif 000003